(57)【要約】【課題】  熱交換部に配管構成を採用せずに、保守点検を容易（メンテナンスフリー）とした雪冷房住宅を提供する。【解決手段】  傾斜屋根からの落雪位置を適宜範囲で囲繞する擁壁２１を構築して、建物に隣接する貯雪部２を形成し、前記貯雪部底面最下位置にＵ字溝２２とグレーチング２３で形成した冷気通路Ａを構築すると共に、冷気通路途中適宜箇所に排水桝２４を設け、グレーチング外の貯雪部底面に前記空気通路側に傾斜する断熱層２５を設け、グレーチング上及び断熱層上に玉石層２６を形成し、建物内と前記冷気通路とを循環させる送風機構３を備えてなる。【選択図】  図２
2006234262.tif 000002
【特許請求の範囲】
【請求項１】
傾斜屋根からの落雪位置を適宜範囲で囲繞する擁壁を構築して、建物に隣接する貯雪部を形成し、前記貯雪部底面最下位置にＵ字溝とグレーチングで形成した冷気通路を構築すると共に、冷気通路途中適宜箇所に排水桝を設け、グレーチング外の貯雪部底面に前記冷気通路側に傾斜する断熱層を設け、グレーチング上及び断熱層上に玉石層を形成し、建物内と前記冷気通路とを循環させる送風機構を備えてなることを特徴とする雪冷房建築物。
【請求項２】
貯雪部に面する建物軒先または壁面上方部分に、散水ノズルを設けてなる請求項１記載の雪冷房建築物。
【請求項３】
排水桝の融雪水を散水ノズルに供給するようにした請求項２記載の雪冷房建築物。
【請求項４】
２階以上のフロアを備えた建築物の場合には、建物内の冷風供給を各階フロアの天井に開口部を備えたダクトによって行い、階段室踊り場をグレーチングで形成して上下階の空気流通が階段室で容易になされる構造とし、最下階の階段室近傍に、建物内空気を冷気通路に送り込む送風機構を設けてなる請求項１又は２記載の雪冷房建築物。
【発明の詳細な説明】
【技術分野】
【０００１】
本発明は、住宅、食品用倉庫等の冷房を必要とする建築物に関するものである。
【背景技術】
【０００２】
冬季間の積雪を貯蔵し、夏期に貯蔵雪の冷熱を利用して住宅等の冷房を実施することは従前より広く知られている。基本的には、屋外に設置した断熱構造の雪貯蔵槽を採用して、貯蔵槽底部の冷却水（融雪水）に熱交換部を配置して、熱交換部に空気を循環させて冷気を確保したり（特許文献1）、雪堆積層内に空気循環ダクトを形成して冷気を得ている（特許文献２）。
【０００３】
また特許文献１には、貯蔵する雪に水をかけたり、踏み固めたりして氷状にして貯蔵することが開示されている。
【０００４】
【特許文献１】特公平６−１３９３０号公報。
【特許文献２】特開平７−２９３９３６号公報。
【発明の開示】
【発明が解決しようとする課題】
【０００５】
ところで、従前の熱交換部の構成は、金属管によって構成されており、雪中や融雪水に設置されているので、当然に経年変化による損傷が生じるし、また貯雪前の保守点検が必要である。
【０００６】
また特許文献１には、散水による雪の氷化が提示されているが、具体的な散水手段は開示されていない。
【０００７】
そこで本発明は、配管構成を採用しない保守点検が容易である新規の雪冷房建築物を提案したものである。また特に散水機構を備え、雪氷化が容易に実現する雪冷房建築物を提案したものである。
【課題を解決するための手段】
【０００８】
本発明に係る雪冷房建築物は、傾斜屋根からの落雪位置を適宜範囲で囲繞する擁壁を構築して、建物に隣接する貯雪部を形成し、前記貯雪部底面最下位置にＵ字溝とグレーチングで形成した冷気通路を構築すると共に、冷気通路途中適宜箇所に排水桝を設け、グレーチング外の貯雪部底面に前記冷気通路側に傾斜する断熱層を設け、グレーチング上及び断熱層上に玉石層を形成し、建物内と前記冷気通路とを循環させる送風機構を備えてなることを特徴とするものである。
【０００９】
而して降雪時期において、屋根の積雪は自然落下或いは人力等による落下で貯雪部内に順次堆積して貯蔵され、降雪時期が過ぎると貯蔵堆積雪の表面を防水断熱シートで覆い冷房が必要とする夏期まで放置（貯雪）する。夏期において、送風機構を動作させると、建物内空気は、冷気通路に供給され、冷気通路内の冷気や玉石層に存在する冷気と混合され、冷気通路出口からの冷気が建物内に供給して冷房を実現するものである。
【００１０】
冷房時の貯雪は、玉石層の上部に空間が生ずる雪洞状態となって、ここに自然に冷気が溜まっており、冷気通路に供給された暖かい建物内空気はグレーチング及び玉石層を通して雪洞内に入り、雪洞内の冷気は冷気通路に侵入して、効率的に冷気混合が実現する。
【００１１】
更に本発明（請求項２，３）は、貯雪部に面する建物軒先または壁面上方部分に、散水ノズルを設けてなり、また排水桝内の融雪水を散水ノズルに供給しているものである。
【００１２】
而して外気温が零下となることが予想されるとき、散水を行うと貯雪部に堆積した雪が締め固められ、更に凍って雪の氷化が容易になされる。特に低温の融雪水を使用すると、より効率的に雪の氷化が実現できる。
【００１３】
また夏期において、冷たい融雪水を防水断熱シート上に散水することで、貯雪庫部周囲の雰囲気を低温とすることができ、貯雪の融雪を抑える効果がある。更に気候条件によって貯雪が充分で無かった場合において、夏期に一部玉石層が露出した場合や、全く雪がなくなった状態で玉石層上に散水を行うことで、散水の潜熱による冷房を実現することができる。
【００１４】
また本発明（請求項４）は、建築物が２階以上のフロアを備えている場合には、建物内の冷風供給を各階フロアの天井に開口部を備えたダクトによって行い、階段室踊り場をグレーチングで形成して上下階の空気流通が階段室で容易になされる構造とし、最下階の階段室近傍に、建物内空気を空気通路に送り込む送風機構を設けてなるもので、各階フロア等に供給された冷気によって冷房を実現すると共に、最下階の階段室近傍の送風機構の動作によって、居室内空気が廊下から階段室を通過して冷気通路に供給される空気循環が効果的になされる。
【発明の効果】
【００１５】
本発明は上記構成を採用した雪冷房建築物で、配管構成を採用せずにＵ字溝とグレーチングで冷気通路（熱交換部）としたもので、熱交換部の保守を基本的に必要としないローコストの雪冷房建築物を実現したものである。
【００１６】
更に本発明（請求項２）は、前記の貯雪部の構成と散水ノズルの組み合わせによって、雪の氷化が容易に行えると共に、貯蔵雪が少なくなった状態でも、所定の箇所への散水によって効果的な冷房がなされ、更に無雪状態でも散水による軽度の冷房を実現できるものである。
【発明を実施するための最良の形態】
【００１７】
次に本発明の実施形態について説明する。実施形態に示した雪冷房建築物は、住宅を例としたもので、建物１と貯雪部２と送風機構３と散水部４で構成される。
【００１８】
建物１は、北側斜面となる傾斜屋根１１と、送風機構３と接続した通気ダクト１２と、各居室１３の天井に設けた前記ダクト１２と連通する開口部１４と、グレーチングで形成した階段室踊り場１５を備えてなる。
【００１９】
貯雪部２は、傾斜屋根１１からの落雪位置（建物１の北側）を適宜範囲で囲繞する擁壁２１を構築して、建物に隣接するように形成したもので、特に貯雪部２の底面最下位置にＵ字溝２２とグレーチング２３で形成した冷気通路Ａを構築する。冷気通路Ａは、必要とする冷房能力に合わせてその長さを設定するもので、通路途中にオーバーフローを備えた排水桝２４を設置してなる。
【００２０】
また貯雪部２の底面におけるグレーチング２３外の箇所は、前記冷気通路Ａ側に傾斜する木炭や軽石で形成した通気性及び透水性を有する断熱層２５を設け、更にグレーチング２３及び断熱層２５の上に、これらを覆うように玉石層２６を形成する。尚擁壁２１に接する貯雪部２の底面部分に樋部２７を設け、擁壁２１に伝って貯雪部２内部に雨水が侵入しないようにしている。
【００２１】
送風機構３は、建物内の通気ダクト１２と冷気通路Ａの出口を接続する給気ダクト３１と、給気ダクト３１内に設けた給気ファン３２と、給気ダクト３１内に外気を取り入れる給気口３３と、最下階の階段室近傍空間と冷気通路Ａの入口と接続する排気ダクト３４と、排気ダクト３４内に設けた排気ファン３５と、最下階の階段室近傍空間の空気を外気へ放出する排気口３６からなる。
【００２２】
散水部４は、貯雪部２に面する建物１の軒先または壁面上方部分に、散水ノズルを設け、当該散水ノズルへの給水として、通常の水道水や地下水の他に、排水桝２４の融雪水も供給できるように設けたものである。
【００２３】
而して冬季の降雪時期において、屋根１１への積雪は自然落下或いは人力等による落下で貯雪部１内に順次雪Ｂが堆積して貯蔵される。更に外気温が零下となることが予想されるとき、散水ノズル（散水部４）から散水を行うと、貯雪部２に堆積した雪Ｂが締め固められと共に、更に凍りって雪の氷化がなされる。特に低温の融雪水を散水すると、より効率的に雪の氷化が実現する。
【００２４】
降雪時期を過ぎると堆積雪氷Bの表面を防水断熱シートＣで覆い、融雪、融氷をできるだけ防止して冷房を必要とする夏期まで堆積雪氷Ａを貯雪する。
【００２５】
夏期において、送風機構３の給排気ファン３２，３５を動作させると、冷気通路Ａの冷気がａ通気ダクト１２を通り各居室１３に冷気ａが供給され、各居室１３の冷房を実現し、また居室１３内からの排出空気ｂは、ドア開閉や、ドアガラリ部によって廊下に流出するもので、特に階段室踊り場１５をグレーチングで形成したので、上下階の空気流通が階段室で容易になされ、廊下に流出した排出空気ｂは、最下階の階段室近傍に設けている排気ファン３５の動作によって吸引され、冷気通路Ａに供給されることになる。
【００２６】
即ち冷気通路Ａに室内空気が排出されると、排出空気は玉石層２６の空間に存在する冷気や、貯雪内の雪洞部分に存在する冷気や、融雪水が存在する冷気通路Ａ内の冷気と接触混合し、出口から冷気として建物内に供給される空気循環によって冷房が行われることになる。
【００２７】
また必要に応じて給気口３３の開放によって外気を建物内に取り込み、排気口３６の開放によって建物内空気の外気への排出を行って、室内空気の換気を行うことができるし、給排気ファン３２，３５の動作制御及び給排気口３３，３６の開閉制御によって、建物内の室温制御が可能となるものである。
【００２８】
尚特に夏期において、冷たい融雪水を防水断熱シートＣ上に散水することで、貯雪部２の雰囲気を低温とすることができ、貯蔵雪Ｂの融雪を抑える効果がある。更に貯蔵雪Ｂが少なくなって一部の玉石層２６の表面が露出した場合には、冷たい融雪水を当該露出玉石層２６の表面に散水することで、冷たい融雪水自体を冷房として有効利用することができる。
【００２９】
また降雪量が少ない年は貯雪が充分になさず、晩夏には貯蔵雪がなくなってしまうが、玉石層２６上に散水を行うと、玉石層２６の表面が散水潜熱によって冷却され、冷却空気が冷気通路に侵入するので、軽度であるが冷房を実現することができる。
【図面の簡単な説明】
【００３０】
【図１】本発明の実施形態を示す断面図。
【図２】同要部断面斜視図。
【符号の説明】
【００３１】
１        建物
１１      傾斜屋根
１２      通気ダクト
１３      居室
１４      開口部
１５      階段室踊り場
２        貯雪部
２１      擁壁
２２      Ｕ字溝
２３      グレーチング
２４      排水桝
２５      断熱層
２６      玉石層
２７      樋部
３        送風機構
３１      給気ダクト
３２      給気ファン
３３      給気口
３４      排気ダクト
３５      排気ファン
３６      排気口
４        散水部（散水ノズル）
【図１】
2006234262.tif 000003
【図２】
2006234262.tif 000004